(57)【特許請求の範囲】
【請求項１】
一端が開口したパック本体と、このパック本体の後側開口縁にセルフヒンジを介して回動可能に連結され、前記パック本体の開口端部に被せられて前記パック本体を閉じる箱状のリッドとを備えるたばこのヒンジリッド型パックにおいて、
前記リッドの側方の開口縁から一体にして突出するフラップ片と、前記側方の開口縁に沿って延びて前記フラップ片を前記リッドの外側に向けて折り曲げ可能とし、この折り曲げ後にあっては前記フラップ片を前記リッドの側方に飛び出した指掛け部に形成する折り曲げ線とを具備したことを特徴とする開蓋機構付きたばこのヒンジリッド型パック。
【請求項２】
前記パック本体は、前記一端側が開口したアウタフレームと、このアウタフレームの開口端から延出し、前記パック本体における前記開口端部の前側及び両側の部分を形成するインナフレームからなり、前記フラップ片は、前記リッドが初めて開かれるまでは前記アウタフレームと前記インナフレームとの間に収納されていることを特徴とする請求項１に記載の開蓋機構付きたばこのヒンジリッド型パック。
【請求項３】
一端が開口したパック本体と、このパック本体の後側開口縁にセルフヒンジを介して回動可能に連結され、前記パック本体の開口端部に被せられて前記パック本体を閉じる箱状のリッドとを備えるたばこのヒンジリッド型パックにおいて、
リッドの側方の開口縁から前記リッドの側方に向けて一体に飛び出した指掛け部としてのフラップ片を具備したことを特徴とする開蓋機構付きたばこのヒンジリッド型パック。
【発明の詳細な説明】
【０００１】
【発明の属する技術分野】
この発明は、シガレット用包装及びシガレット用ケースに好適し、その開蓋性を向上したたばこのヒンジリッド型パックに関する。
【０００２】
【関連する背景技術】
シガレットの包装に利用されている公知のヒンジリッド型パックにあっては、パック本体は、その上端が開口した箱状のアウタフレームと、このアウタフレームの開口端部内に糊付けされ、パック本体の開口縁部を構成するインナフレームとからなっている。一方、リッドはパック背面のセルフヒンジを中心として回動可能となっており、パック本体の開口を開閉可能な箱形状をなしている。このようなリッドが閉じた状態では、インナフレーム部分にリッドが覆い被さり、そして、リッドの下端とアウタフレームの上端とが合致するので、パックの前面及び両側面を含む外面は段差のない一様な平面となることができる。また、このようなパックは一定の厚みを有する厚紙材から成形されており、それ故、パックにはある程度の強度が確保されている。
【０００３】
近年、上述のようなヒンジリッド型パックに包装されたシガレット、いわゆるボックスタイプ銘柄のシガレット商品が消費者に好まれ、市場に多く流通している。上述した公知のヒンジリッド形パックによれば、消費者にシガレット商品の良好な外観印象や手触り感覚を与えることができるほか、シガレット商品の取り扱いをも容易化することができる。すなわち、シガレット商品の流通過程、例えば、自動販売機による小売り段階においても、パックには一定の強度が確保されているので、シガレット商品を自動販売機の収納枠に収納するときの積載がより容易に出来たり、また、パック外面には突出した部分がないので、自動販売機からの払い出し時、商品が収納枠内で相互に引っかかったり、また、商品が払い出しシュート内に引っかかったりすることを有効に防止することができる。
【０００４】
【発明が解決しようとする課題】
ところで、上述したヒンジリッド型パックは、シガレット商品の流通過程においてシガレットの包装となるだけでなく、消費者がシガレット商品を購入した後は、シガレット用ケースとしての機能も有する。すなわち、消費者はパックの封を開けた後、リッドを開くことで所望のシガレットを取り出し、また、リッドを閉じておくことで残りのシガレットをパック内に保存し且つ容易にシガレットを携帯することができる。
【０００５】
上述した公知のヒンジリッド型パックは、シガレット商品の外観品質や、その取扱いの容易性を向上させる点で優れる。しかしながら、公知のヒンジリッド型パックにあっては、消費者がリッドを開くためには、消費者は一方の手でパック本体をしっかりと持ち、そして、他方の手でリッドを確実に開く必要がある。つまり、商品購入後にヒンジリッド型パックがシガレット用ケースとして使用される場合の消費者の利便性にはあまり考慮がなされていない。
【０００６】
この発明は上述した事情に基づいてなされたもので、その目的とするところは、シガレットの包装としての機能を損なうことなく、しかも、シガレット商品購入後の消費者の使用利便性をも向上させることができる開蓋機構付きたばこのヒンジリッド型パックを提供することにある。
【０００７】
【課題を解決するための手段】
上記の目的を達成するため、請求項１の開蓋機構付きたばこのヒンジリッド型パックは、リッドの側方の開口縁に、この側方の開口側縁から一体にして突出したフラップ片を備えており、このフラップ片は、リッドの側方の開口縁に沿って延びる折り曲げ線からリッドの外側に向けて折り曲げられたとき、リッドの側方に飛び出した指掛け部を形成する。
【０００８】
請求項１の開蓋機構付きたばこのヒンジリッド型パックによれば、消費者がシガレット商品を購入してパックを開封し、そのフラップ片を折り曲げ線に沿って外側に折り曲げておけば、この後リッドが閉じた状態でもフラップ片はパックの側方に突出、即ち、飛び出したままとなる。従って、リッドを開く際、消費者が指掛け部としてのフラップ片をリッドの開方向に押せば、リッドはセルフヒンジを中心に回動して開かれる。
【０００９】
請求項２の開蓋機構付きたばこのヒンジリッド型パックの場合、パック本体は、その一端側が開口したアウタフレームと、このアウタフレームの開口端から延出し、パック本体における開口端部の前側及び両側の部分を形成するインナフレームとから構成されており、上述したフラップ片は、リッドが初めて開かれるまではアウタフレームとインナフレームとの間に収容されている。この場合、シガレット商品がその流通過程にある間は、フラップ片が不用意にパックの側方に折り曲げられてしまうことはない。
更に、請求項３の開蓋機構付きたばこのヒンジリッド型パックは、一端が開口したパック本体と、このパック本体の後側開口縁にセルフヒンジを介して回動可能に連結され、パック本体の開口端部に被せられてパック本体を閉じる箱状のリッドと、リッド側面の開口側縁から前記リッドの側方に向けて一体に飛び出した指掛け部としてのフラップ片とを備える。
【００１０】
【発明の実施の形態】
図１を参照すると、フィルタシガレット用のヒンジリッド型パックが示されている。このパックはパック本体２と箱形のリッド４からなり、２０本のフィルタシガレットを収容可能な大きさを有している。パック本体２は、その上端が開口した箱状のアウタフレーム６及びコ字形のインナフレーム８からなり、アウタフレーム６の上端はその前面側に向けて斜めに切り取られた形状となっている。インナフレーム８はアウタフレーム６の上端部内に部分的に差し込んで取り付けられ、アウタフレーム６の前面側開口縁及びその左右開口縁から延びる延長部分を構成している。
【００１１】
アウタフレーム６から露出したインナフレーム８において、その前面部分には、図１から明らかなように略矩形の切欠凹所１０が備えられており、この切欠凹所１０はインナフレーム８の上縁からアウタフレーム６の前面側開口縁に向けて形成されている。切欠凹所１０はインナフレーム８の前面部分を大きく開き、パック本体２からのフィルタシガレットの取り出しを容易にしている。
【００１２】
リッド４もまた下端が開口した箱状をなしており、このリッド４はアウタフレーム６の後面側開口縁にセルフヒンジ１４を介して一体的に連結され、そのセルフヒンジ１４を中心とした回動により、パック本体２の開口端部つまりアウタフレーム６からのインナフレーム８の露出部分に被せられてパック本体２を閉じることができる。従って、リッド４の下端、つまり、その開口端もまたアウタフレーム６の開口端と合致すべく斜めに切り取られている。
【００１３】
リッド４の左右の側方の開口縁からは、それぞれフラップ片１２が一体にして突出している。また、このフラップ片１２は、パック本体２の側面側に向けてそれぞれ折り曲げられている。
アウタフレーム６及びリッド４は１枚のブランクから形作ることができ、そのブランク１６は図２に示されている。ブランク１６は、アウタフレーム６の前面及び後面となる前面区域１８及び後面区域２０を有し、これら区域１８，２０はアウタフレーム６の底面となる底面区域２２を介して相互に接続されている。前面区域１８及び後面区域２０の両側にはアウタフレーム６の左右の側面となる側面区域２４及びインナサイドフラップ２６がそれぞれ接続されており、また、対応する側面区域２４とインナサイドフラップ２６との間には、底面区域２２に重ね合わされるインナボトムフラップ２８がそれぞれ配置されており、これらインナボトムフラップ２８はインナサイドフラップ２６に接続されている。
【００１４】
後面区域２０には底面区域２２とは反対側に位置して、リッド４の後面となる後面区域３０が連なっており、これら後面区域２０，３０間はセルフヒンジ１４となるヒンジライン３２を介して相互に接続されている。後面区域３０には、リッド４の頂面及び前面となる頂面区域３４及び前面区域３６が順次接続されている。前面区域３６の両側には、リッド４の左右の側面となる側面区域３８がそれぞれ接続されており、後面区域３０の両側には側面区域３８に対するインナサイドフラップ４０がそれぞれ接続されている。そして、側面区域３８と対応するインナサイドフラップ４０との間には、頂面区域３４に対するインナトップフラップ４２がそれぞれ配置されており、これらインナトップフラップ４２は対応するインナサイドフラップ４０に接続されている。また、前面区域３６には頂面区域３４の反対側に位置し、前面区域３６に対応してリッド４の前側内面となるインナフロントフラップ４４が接続されている。
【００１５】
左右のインナサイドフラップ２６，４０の間には切欠部４６が設けられており、各インナサイドフラップ２６，４０は、この切欠部４６によりそれぞれ区画されている。フラップ片１２となる部分は、インナサイドフラップ４０から切欠部４６内に延出して設けられている。
図３を参照すると、一方のフラップ片１２及び切欠部４６を中心としたブランク１６の一部が拡大して示されている。同図からも明らかなように、インナサイドフラップ２６，４０の間には、ヒンジライン３２から斜めに延びる切込線Ｃが設けられており、そして、切欠部４６はインナサイドフラップ２６，４０の間で、且つ、切込線Ｃの終端から先の部分に位置している。
【００１６】
より詳細には、切欠部４６は、インナサイドフラップ２６内への切り欠きにより形成されており、一方のインナサイドフラップ４０には、その下端縁から延びるフラップ片１２となるべき部分が確保されている。このような切欠部４６は、フラップ片１２部分を除いたときはインナサイドフラップ４０の下端縁に沿う平行四辺形状をなすべきものである。
【００１７】
また、フラップ片１２となる部分は、インナサイドフラップ４０の下端縁に対する逆台形状を有しており、その底側の両角部は円弧状に成形されている。
ここで、図２にはインナフレーム８を構成するブランク５０もまた示されており、このブランク５０は、ブランク１６の前面区域１８に重ね合わせ且つ糊付けした状態で示されている。なお、ブランク５０はその両側に側面区域２４の延長部を構成するサイドフラップ５２をそれぞれ有している。
【００１８】
この実施例の場合、ブランク１６，５０は紙材からなり、それらの坪量は１８０〜２７０ｇ／ｍ2、それらの厚みは０．２〜０．５mmである。なお、具体的にはブランク１６，５０はカード紙、マニラボール紙、アルミ蒸着紙等の何れであってもよい。
上述したブランク１６，５０は、図２中二重線で示した折り込み線からそれぞれ折り込まれて、パック本体２及びリッド４がそれぞれ成形され、この折り込み成形により、図４に示すようなリッド４を閉じた状態のパックが得られる。
【００１９】
すなわち、パック本体２の折り込み成形時、先ず、パック本体２側の側面区域２４及びこれに対応するインナサイドフラップ２６が相互に糊付けされ、そして、インナフレーム８のサイドフラップ５２がインナサイドフラップ２６の内面に糊付けされる。また、リッド４の折り込み成形では、側面区域３８及びこれに対応するインナサイドフラップ４０が相互に糊付けされ、インナフロントフラップ４４は前面区域３６の内面に向けて折り込まれて糊付けされる。なお、この成形時にはフラップ片１２部分の折り曲げはなされず、ブランク１６上に折り曲げ線が残されたままとなる。
【００２０】
パックの折り込み成形が完了すると、図４に示すようにパック本体２の側面では、インナフレーム８のサイドフラップ５２は、インナサイドフラップ２６の内側に位置し、そして、側面区域２４はインナサイドフラップ２６の外側に重ね合わされている。また、リッド４の側面でも、側面区域３８がインナサイドフラップ４０の外側に重ね合わされており、インナフレーム８のサイドフラップ５２のパック本体２からの延出部分は、インナサイドフラップ２６の内側に位置している。
【００２１】
このとき、インナサイドフラップ２６，４０は、共にサイドフラップ５２の直外側、つまり、同じ重ね位置にあるから、インナサイドフラップ４０から延出するフラップ片１２もまた、これらインナサイドフラップ２６，４０と同じ重ね位置にある。従って、このようなフラップ片１２は、図４に示すようにパック本体２側の前面区域２４の上端部に覆われる。
【００２２】
なお、上述したようなブランク１６，５０からのパック本体２及びリッド４の成形は、包装すべき２０本のフィルタシガレットの充填と同時に行われ、それらの成形が完了したとき、図４に示されているようにリッド４はパック本体２の開口端部に被せられ、パック本体２を閉じた状態にある。この際、パック本体２におけるアウタフレーム６の開口縁とリッド４の開口縁とは相互に合致される。このようにヒンジリッド型パックにフィルタシガレットが包装されると、この後、個々のパックは、例えば、透明フィルムで外包されてシガレット商品の形態となる。
【００２３】
消費者がシガレット商品を購入して外包フィルムを開封したときは、左右のフラップ片１２は、図４に示す状態でアウタフレーム６とインナフレーム８との間に収納されている。このような状態から、リッド４がそのセルフヒンジ１４を中心とした回動により初めて開かれると、フラップ片１２は、リッド４の回動に伴ってアウタフレーム６とインナフレーム８との間から抜き出される。なお、アウタフレーム６の上端及びリッド４の下端は、前述したようにパックの前側に向けて斜めに切り取られており、また、フラップ片１２は、リッド４の下端に対する逆台形状を有しているので、リッド４が回動される際、フラップ片１２の前端がアウタフレーム６の内面に引っかかることはない。リッド４が完全に開かれると、フラップ片１２は完全に露出される。フラップ片１２の折り曲げ線はリッド４側方の開口縁に沿った位置にあるので、消費者は左右のフラップ片１２をそれぞれパックの側面側に向けて折り曲げることができる。
【００２４】
図１には、上述した手順を経て左右のフラップ片１２が折り曲げられた状態が示されている。この後、リッド４が完全に閉じられると、各フラップ片１２は、アウタフレーム８とインナフレーム６との間に差し込まれることなく、図５に示すようにアウタフレーム６の外側に突出したままとなる。なお、このとき各フラップ片１２は、パック側方に向けて折り曲げられたままの状態となる。この場合でも、フラップ片１２はリッド４の下端縁に沿って折り曲げられているので、リッド４が閉じられたときにリッド４の下端とアウタフレーム６の上端とが合致しなくなることはない。
【００２５】
この後、消費者が所望によりリッド４を開くときは、フラップ片１２の部分をリッド４の回動方向へ押すことで、リッド４を容易に開くことができる。この場合、例えば、パックを立てた状態で、消費者が一方の手の掌と母指以外の四指でパック本体２の部分を把持し、そして、同じ一方の手の母指でフラップ片１２を押し上げれば、リッド４は回動して開かれる。つまり、消費者は一方の手のみでリッド４を容易に開くことができる。
【００２６】
また、消費者によってリッド４が初めて開かれるまで、つまり、シガレットを包装して商品として完成された後、シガレット商品が市場に流通している間は、ヒンジリッド型パックの各フラップ片１２はアウタフレーム６とインナフレーム８との間に収納されているので、フラップ片１２が不用意に折り曲げられてしまうことはない。従って、ヒンジリッド型パックはシガレット商品のパッケージとしての機能に支障を来すことはない。
【００２７】
この発明は上述した一実施例に制約されるものではなく、変形が可能である。例えば、一実施例ではブランク１６において、フラップ片１２をインナサイドフラップ４０から延出して設けているが、同様のフラップ片１２をリッド４の側面区域３８に設けることもできる。この場合でも、パックの折り込み成形時にフラップ片１２を内側に向けて僅かに曲げておくことで、パックの折り込み成形完了後、フラップ片１２をアウタフレーム６とインナフレーム８との間に収納させておくことができる。また、フラップ片１２の形状は、一実施例のような逆台形状だけではなく、例えば平行四辺形や弓形等の形状にすることもできる。
【００２８】
【発明の効果】
以上説明したように、請求項１，３の開蓋機構付きたばこのヒンジリッド型パックによれば、指掛け部としてのフラップ片が押されることで、開蓋時のリッド押し開け動作が助成されるので、パックの開蓋操作をより容易化させることができる。この場合、消費者が何れか一方の手のみでリッドを開く際にも、その開蓋は容易且つ確実に行われる。従って、商品の購入後にあっては、消費者の使用の利便性を向上させるヒンジリッド型パックが得られる。
【００２９】
また、請求項２の開蓋機構付きたばこのヒンジリッド型パックによれば、シガレット用包装として商品の取り扱い性を損なうことなく、しかも、シガレット用ケースとしての使用利便性をも備えたヒンジリッド型パックを得ることができる。
【図面の簡単な説明】
【図１】シガレット用のヒンジリッド型パックを示した斜視図である。
【図２】図１のパックを構成するブランクの展開図である。
【図３】図２のブランク中、フラップ片部分を中心とした拡大図である。
【図４】パックの折り込み成形後、閉じた状態のリッドを一部破断して示した側面図である。
【図５】フラップ片が折り曲げられた後、閉じた状態のリッドを示す側面図である。
【符号の説明】
２    パック本体
４    リッド
６    アウタフレーム
８    インナフレーム
１２  フラップ片
１４  セルフヒンジ
【図１】
0003965227.tif 000002
【図２】
0003965227.tif 000003
【図３】
0003965227.tif 000004
【図４】
0003965227.tif 000005
【図５】
0003965227.tif 000006